(57)【要約】【課題】人為的ミスの発生も抑え、多大な労力を消費することなく、配線部品の納期や価格などの条件に基づいて配線敷設工事に係わる配線部品を発注できるシステムを提供する。【解決手段】敷設条件入力手段１１では建物における通信配線の敷設条件（価格，予算，納期等）を入力する。配線部品選出手段１２では、敷設条件に基づいて使用可能な部品情報ＤＢ３１を参照して配線部品を選出し、ユーザに提示する。ここでは通信配線の設計情報を入力して併せて用いてもよい。配線部品選択手段１３では、選出された配線部品のうち注文する配線部品をユーザに選択させる。発注手段１４では、選択された配線部品を、各配線部品に係わる部品提供業者３の受注側サーバ装置３０に発注する。【選択図】        図１
2004355104.tif 000002
【特許請求の範囲】
【請求項１】
１又は複数の部品提供業者の受注側サーバ装置にネットワークを介して接続され、建物に敷設する通信配線の部品を発注する配線部品発注システムであって、
前記受注側サーバ装置は、対応する部品提供業者が提供する配線部品に関する情報を格納した部品情報データベースに、アクセス可能に接続されており、
当該配線部品発注システムは、
建物における通信配線の敷設条件を入力する敷設条件入力手段と、
前記敷設条件に基づいて、使用可能な配線部品を前記部品情報データベースを参照して選出し、ユーザに提示する配線部品選出手段と、
該配線部品選出手段で選出された配線部品のうち、注文する配線部品をユーザに選択させる配線部品選択手段と、
該配線部品選択手段で選択された配線部品を、各配線部品に係わる部品提供業者の受注側サーバ装置に発注する発注手段と、
を有することを特徴とする配線部品発注システム。
【請求項２】
建物に敷設する通信配線の設計情報を入力する設計情報入力手段を有し、前記配線部品選出手段は、前記設計情報及び前記敷設条件に基づいて、使用可能な配線部品を前記部品情報データベースを参照して選出し、ユーザに提示することを特徴とする請求項１に記載の配線部品発注システム。
【請求項３】
前記設計情報入力手段は、前記設計情報をＣＡＤデータとして入力する手段を有することを特徴とする請求項２に記載の配線部品発注システム。
【請求項４】
前記設計情報入力手段は、前記設計情報を、前記建物の鉛直方向の情報及び各階の平面図に相当する水平方向の情報として、個々に入力する手段を有することを特徴とする請求項２に記載の配線部品発注システム。
【請求項５】
前記配線部品選出手段は、選出した配線部品を、前記設計情報に関連付けて提示する手段を有することを特徴とする請求項２乃至４のいずれか１項に記載の配線部品発注システム。
【請求項６】
前記設計情報から配線概略図を作成し、該作成した配線概略図を提示する配線図提示手段を有することを特徴とする請求項２乃至５のいずれか１項に記載の配線部品発注システム。
【請求項７】
前記配線部品選択手段は、ユーザ選択された配線部品から配線概略図を作成し、該作成した配線概略図を提示する選択部品確認手段を有することを特徴とする請求項１乃至６のいずれか１項に記載の配線部品発注システム。
【請求項８】
前記配線部品には光通信部品を含み、前記配線部品選択手段は、光通信部品による線路の伝送損失を積算する伝送損失積算手段と、該伝送損失積算手段の積算結果に基づいて、伝送損失が所定値以上であった場合に、ユーザにその旨を提示する警告手段と、を有することを特徴とする請求項１乃至７のいずれか１項に記載の配線部品発注システム。
【請求項９】
前記配線部品選択手段は、伝送損失が所定値以上であった場合に、代替案として、光ケーブルの種類及び／又は光ケーブル間の接続形態を変更した案を、ユーザに提示する代替案提示手段を有することを特徴とする請求項８に記載の配線部品発注システム。
【請求項１０】
前記敷設条件は、前記所定値を含むことを特徴とする請求項８又は９に記載の配線部品発注システム。
【請求項１１】
前記部品情報データベースには、各配線部品に対する価格と納期の情報が格納されており、前記敷設条件は、納期又は該納期及び予算に係わる条件を含むことを特徴とする請求項１乃至１０のいずれか１項に記載の配線部品発注システム。
【請求項１２】
前記敷設条件は、通信配線の拡張性に関する条件を含み、前記配線部品選出手段は、該拡張性の条件に従って、拡張性が要求されている場合には余分に配線経路を確保できるように配線部品の選出を行うことを特徴とする請求項１乃至１１のいずれか１項に記載の配線部品発注システム。
【請求項１３】
前記敷設条件は、各条件に対し優先順位の情報を含むことを特徴とする請求項１乃至１２のいずれか１項に記載の配線部品発注システム。
【請求項１４】
前記敷設条件は、光ケーブル又はメタルケーブルのいずれの配線ケーブルを用いるかを示す情報と、前記建物の必要ポート数，配線形態等の情報と、を含むことを特徴とする請求項１乃至１３のいずれか１項に記載の配線部品発注システム。
【請求項１５】
建物に敷設する通信配線の部品注文をネットワーク接続されたクライアント装置から受け付けるための、部品提供業者の受注側サーバ装置と、該受注側サーバ装置にアクセス可能に接続され、前記部品提供業者が提供する配線部品に関する情報を格納した部品情報データベースと、を有する配線部品受注システムであって、
前記受注側サーバ装置は、
建物における通信配線の敷設条件を、ネットワーク接続されたクライアント装置から入力させる敷設条件入力手段と、
前記敷設条件に基づいて、使用可能な配線部品を前記部品情報データベースを参照して選出し、前記クライアント装置に提示する配線部品選出手段と、
該配線部品選出手段で選出された配線部品のうち、注文する配線部品を前記クライアント装置から選択させる配線部品選択手段と、
該配線部品選択手段で選択された配線部品を受注する受注手段と、
該受注手段で受注した配線部品に課金する課金手段と、
を有することを特徴とする配線部品受注システム。
【請求項１６】
当該配線部品受注システムは、前記部品提供業者以外の部品提供業者である別業者に関する情報を格納し、前記受注側サーバ装置にアクセス可能に接続された業者情報データベースを有し、
前記受注側サーバ装置は、前記別業者が受注に利用する別業者用サーバ装置にネットワークを介して接続され、該別業者用サーバ装置は、前記別業者が提供する配線部品に関する情報を格納した部品情報データベースにアクセス可能に接続され、
前記受注側サーバ装置は、前記受注手段で受注した配線部品のうち、前記別業者に係わる配線部品を、対応する別業者の別業者用サーバ装置に発注する発注手段を有することを特徴とする請求項１５に記載の配線部品受注システム。
【請求項１７】
前記受注側サーバ装置は、建物に敷設する通信配線の設計情報を、前記クライアント装置から入力させる設計情報入力手段を有し、前記配線部品選出手段は、前記設計情報及び前記敷設条件に基づいて、使用可能な配線部品を前記部品情報データベースを参照して選出し、前記クライアント装置に提示することを特徴とする請求項１５又は１６に記載の配線部品受注システム。
【請求項１８】
前記設計情報入力手段は、前記設計情報をＣＡＤデータとして前記クライアント装置から入力させる手段を有することを特徴とする請求項１７に記載の配線部品受注システム。
【請求項１９】
前記設計情報入力手段は、前記設計情報を、前記建物の鉛直方向の情報及び各階の平面図に相当する水平方向の情報として、個々に前記クライアント装置から入力させる手段を有することを特徴とする請求項１７に記載の配線部品受注システム。
【請求項２０】
前記配線部品選出手段は、選出した配線部品を、前記設計情報に関連付けて前記クライアント装置に提示する手段を有することを特徴とする請求項１７乃至１９のいずれか１項に記載の配線部品受注システム。
【請求項２１】
前記設計情報から配線概略図を作成し、該作成した配線概略図を前記クライアント装置に提示する配線図提示手段を有することを特徴とする請求項１７乃至２０のいずれか１項に記載の配線部品受注システム。
【請求項２２】
前記配線部品選択手段は、前記クライアント装置で選択された配線部品から配線概略図を作成し、該作成した配線概略図を提示する選択部品確認手段を有することを特徴とする請求項１５乃至２１のいずれか１項に記載の配線部品受注システム。
【請求項２３】
前記配線部品には光通信部品を含み、前記配線部品選択手段は、光通信部品による線路の伝送損失を積算する伝送損失積算手段と、該伝送損失積算手段の積算結果に基づいて、伝送損失が所定値以上であった場合に、前記クライアント装置にその旨を提示する警告手段と、を有することを特徴とする請求項１５乃至２２のいずれか１項に記載の配線部品受注システム。
【請求項２４】
前記配線部品選択手段は、伝送損失が所定値以上であった場合に、代替案として、光ケーブルの種類及び／又は光ケーブル間の接続形態を変更した案を、ユーザに提示する代替案提示手段を有することを特徴とする請求項２３に記載の配線部品受注システム。
【請求項２５】
前記敷設条件は、前記所定値を含むことを特徴とする請求項２３又は２４に記載の配線部品受注システム。
【請求項２６】
前記部品情報データベースには、各配線部品に対する価格と納期の情報が格納されており、前記敷設条件は、納期又は該納期及び予算に係わる条件を含むことを特徴とする請求項１５乃至２５のいずれか１項に記載の配線部品受注システム。
【請求項２７】
前記敷設条件は、通信配線の拡張性に関する条件を含み、前記配線部品選出手段は、該拡張性の条件に従って、拡張性が要求されている場合には余分に配線経路を確保できるように配線部品の選出を行うことを特徴とする請求項１５乃至２６のいずれか１項に記載の配線部品受注システム。
【請求項２８】
前記敷設条件は、各条件に対し優先順位の情報を含むことを特徴とする請求項１５乃至２７のいずれか１項に記載の配線部品受注システム。
【請求項２９】
前記敷設条件は、光ケーブル又はメタルケーブルのいずれの配線ケーブルを用いるかを示す情報と、前記建物の必要ポート数，配線形態等の情報と、を含むことを特徴とする請求項１５乃至２８のいずれか１項に記載の配線部品受注システム。
【請求項３０】
１又は複数の部品提供業者の受注側サーバ装置にネットワークを介して接続し、建物に敷設する通信配線の部品を発注する配線部品発注方法であって、
前記受注側サーバ装置は、対応する部品提供業者が提供する配線部品に関する情報を格納した部品情報データベースに、アクセス可能に接続されており、
当該配線部品発注方法は、
建物における通信配線の敷設条件を入力する敷設条件入力ステップと、
前記敷設条件に基づいて、使用可能な配線部品を前記部品情報データベースを参照して選出し、ユーザに提示する配線部品選出ステップと、
該配線部品選出ステップで選出された配線部品のうち、注文する配線部品をユーザに選択させる配線部品選択ステップと、
該配線部品選択ステップで選択された配線部品を、各配線部品に係わる部品提供業者の受注側サーバ装置に発注する発注ステップと、
を有することを特徴とする配線部品発注方法。
【請求項３１】
建物に敷設する通信配線の設計情報を入力する設計情報入力ステップを有し、前記配線部品選出ステップは、前記設計情報及び前記敷設条件に基づいて、使用可能な配線部品を前記部品情報データベースを参照して選出し、ユーザに提示することを特徴とする請求項３０に記載の配線部品発注方法。
【請求項３２】
建物に敷設する通信配線の部品注文を、ネットワーク接続されたクライアント装置から部品提供業者の受注側サーバ装置で受け付けるための配線部品受注方法であって、
前記受注側サーバ装置は、前記部品提供業者が提供する配線部品に関する情報を格納した部品情報データベースに、アクセス可能に接続されており、
当該配線部品受注方法は、
建物における通信配線の敷設条件を、ネットワーク接続されたクライアント装置から前記受注側サーバ装置に入力させる敷設条件入力ステップと、
前記敷設条件に基づいて、使用可能な配線部品を前記部品情報データベースを参照して選出し、前記クライアント装置に提示する配線部品選出ステップと、
該配線部品選出ステップで選出された配線部品のうち、注文する配線部品を前記クライアント装置から選択させる配線部品選択ステップと、
該配線部品選択ステップで選択された配線部品を受注する受注ステップと、
該受注ステップで受注した配線部品に課金する課金ステップと、
を有することを特徴とする配線部品受注方法。
【請求項３３】
前記受注側サーバ装置は、前記部品提供業者以外の部品提供業者である別業者に関する情報を格納した業者情報データベースにアクセス可能に接続されており、且つ、前記別業者が受注に利用する別業者用サーバ装置にネットワークを介して接続されており、
該別業者用サーバ装置は、前記別業者が提供する配線部品に関する情報を格納した部品情報データベースにアクセス可能に接続されており、
当該配線部品受注方法は、前記受注ステップで受注した配線部品のうち、前記別業者に係わる配線部品を、前記受注側サーバ装置から該配線部品に対応する別業者の別業者用サーバ装置に発注する発注ステップを有することを特徴とする請求項３２に記載の配線部品受注方法。
【請求項３４】
当該配線部品受注方法は、建物に敷設する通信配線の設計情報を、前記クライアント装置から前記受注側サーバ装置に入力させる設計情報入力ステップを有し、前記配線部品選出ステップは、前記設計情報及び前記敷設条件に基づいて、使用可能な配線部品を前記部品情報データベースを参照して選出し、前記クライアント装置に提示することを特徴とする請求項３２又は３３に記載の配線部品受注方法。
【請求項３５】
コンピュータを、請求項１乃至１４のいずれか１項に記載の配線部品発注システムとして機能させるためのプログラム。
【請求項３６】
コンピュータを、請求項１５乃至２９のいずれか１項に記載の配線部品受注システムとして機能させるためのプログラム。
【請求項３７】
コンピュータに、請求項３０又は３１に記載の配線部品発注方法を実行させるためのプログラム。
【請求項３８】
コンピュータに、請求項３２乃至３４のいずれか１項に記載の配線部品受注方法を実行させるためのプログラム。
【請求項３９】
請求項３５乃至３８のいずれか１項に記載のプログラムを記録したコンピュータ読み取り可能な記録媒体。
【発明の詳細な説明】
【０００１】
【発明の属する技術分野】
本発明は、配線部品発注システム、配線部品受注システム、配線部品発注方法、配線部品受注方法、プログラム、及び記録媒体に関する。
【０００２】
【従来の技術】
一般住宅の電機配線設計においては、ＣＡＤ（Ｃｏｍｐｕｔｅｒ  Ａｉｄｅｄ  Ｄｅｓｉｇｎ）で設計図を作成すると必要な物品リスト及び価格が自動的に積算されるシステムが紹介されている（例えば、非特許文献１参照）。ＣＡＤとして「電設ＣＡＤソフト」と呼ばれるアプリケーションを組み込んだ同システムでは、積算データとして利用することを前提に電設ＣＡＤソフトにより設計を行って、電設ＣＡＤソフトに組み込まれた部材集計機能により、設計データを基に部材ごとの設計数量を出力する。そして、さらに物件登録済みの見積書作成アプリケーションにこの設計数量データを渡し、見積もりを自動積算して出力している。
【０００３】
また、一般住宅に限らず、ビルやマンション、病院等の公共施設などの建物においても、当然電気配線を行う必要があり、その設計及び見積もりも必要である。さらには、電気的な配線にとどまらず、近年の光通信システムの促進に伴って光通信配線の設計も行う必要も生じている。特に光通信配線に関しては、新築の建物だけでなく既設の建物に対しても、新規に或いは追加で光通信設備を導入することがあり、設計及び敷設工事の需要が高まっている。
【０００４】
実際の配線敷設工事に当っては、現状、出力した見積書や配線設計図等を閲覧しながら配線部品を選定し、部品提供業者に注文している。ここで、部品提供業者とは配線部品のメーカや場合によっては仲介業者を指し、通常、部品提供業者は配線敷設工事を行う業者（施工者）に配線部品を提供することとなる。また、一般的に施工者側のシステムインテグレータと呼ばれる者が、上述のごときアプリケーションを援用するなどして配線設計図を作成することとなる。
【０００５】
しかしながら、実際の配線敷設工事は通常その工期（工事完了日）が決められているので、施工者は、その工事完了日に応じて施工計画をたて、配線部品を選定、注文し、工事に取り掛かる必要がある。
【０００６】
したがって、工事完了日を考慮せずに配線部品の注文を行うことはできず、配線部品の納期が部品提供業者によっても様々であることから、複数の部品提供業者に電話やＦＡＸなどで連絡をとるか或いはインターネット上で配線部品の納期を閲覧するなどして、納期が工事開始日に間に合う配線部品，数量，部品提供業者の組み合わせを決定し、各部品提供業者に対し注文を行っている。
【０００７】
このとき、建物の規模や形状などが千差万別であることから、配線部品の種類や数量も多く、発注先（部品提供業者）の決定には多大な労力を消費することとなる。これは、上述のごときアプリケーションを用いた場合でも、このアプリケーションが発注作業を鑑みたものとなっておらず発注処理と上手く連携がとれていないため、同様に、非常に困難で手間のかかる作業となる。
【０００８】
さらに、実際には、見積書に近い予算或いはそれ以下の予算で配線敷設工事を行う必要があり、しいては配線部品の金額の総計が予算内に収まるようにする必要がある。
【０００９】
しかしながら、配線部品の納期が部品提供業者によって様々である上に、部品提供業者によって同等の部品でもその単価が異なり、さらに単価を納期によっても異なるように設定している部品提供業者もある。したがって、予算を考慮して配線部品を発注する場合には、発注先（部品提供業者）の決定にさらに多大な労力を消費することとなる。
【００１０】
また、光ＬＡＮなど光通信の場合は、ケーブル長，接続形態（融着，コネクタ，メカニカルスプライス等），接続数によって、線路の伝送損失が異なる。伝送損失は伝送システムの許容範囲内に納める必要があるため、納期や予算と並ぶ条件として伝送損失を勘案して、線路設計を行う必要がある。
【００１１】
例えば、ビル内に光ＬＡＮを構築する場合であっても、ビルの階数，各階のポート数，拡張性，布設スペース，予算，工期，伝送損失等により最適な配線設計が異なる。発注に係わる条件も含んだこれら全てのパラメータを考慮しつつ、与えられた条件を満たす設計（配線図の作成）を行い、配線部品の選択を行うことは、多くの検討時間を要する。また、設計が決まった後、多岐にわたる配線部品の発注作業を別に行う必要があり、この一連の作業に要する時間は大きく、多大な労力を必要とし、発注ミス等のトラブルの発生要因にもなっている。
【００１２】
【非特許文献１】
和田健二，「Ｃｏｎｓｔｒｕｃｔｉｏｎ  Ｉｎｄｕｓｔｒｙ  ＮＥＴｗｏｒｋを利用したＣＡＤ連動積算ソフト」，電気と工事，オーム社，２００３年３月号，ｐ．６５−７２
【００１３】
【発明が解決しようとする課題】
上述のごとく、従来から、配線設計図などからその配線に必要な配線部品リスト及びその数量を専用のアプリケーションなどで見積もり、その配線部品リスト等を閲覧しながら、工期や予算などの様々な条件を考慮して発注作業を行っている。
【００１４】
しかしながら、納期・価格等の発注に係わる条件に従って配線設計を行い、これを基に配線図を作成し、発注するといった一連のシステムは存在せず、それゆえ、現状では、発注時に多大な労力を要し、人為的ミスも多く生じ、配線敷設工事を遂行していく上で様々なトラブルの元となっている。
【００１５】
本発明は、上述のごとき実情に鑑みてなされたものであり、人為的ミスの発生も抑え、多大な労力を消費することなく、配線部品の納期や価格などの条件に基づいて配線敷設工事に係わる配線部品を発注することが可能な、配線部品発注システム、配線部品受注システム、配線部品発注方法、配線部品発注プログラム、及びそのプログラムを記録したコンピュータ読み取り可能な記録媒体を提供することをその目的とする。
【００１６】
また、本発明は、発注者に、人為的ミスを抑え多大な労力を消費させることなく、配線部品の納期や価格などの条件に基づいて配線敷設工事に係わる配線部品を発注させることが可能な、配線部品受注システム、配線部品受注方法、配線部品受注プログラム、及びそのプログラムを記録したコンピュータ読み取り可能な記録媒体を提供することを他の目的とする。
【００１７】
【課題を解決するための手段】
本発明による配線部品発注システムは、１又は複数の部品提供業者の受注側サーバ装置にネットワークを介して接続され、建物に敷設する通信配線の部品を発注する配線部品発注システムであって、受注側サーバ装置は、対応する部品提供業者が提供する配線部品に関する情報を格納した部品情報データベースに、アクセス可能に接続されており、当該配線部品発注システムは、建物における通信配線の敷設条件を入力する敷設条件入力手段と、敷設条件に基づいて、使用可能な配線部品を部品情報データベースを参照して選出し、ユーザに提示する配線部品選出手段と、配線部品選出手段で選出された配線部品のうち、注文する配線部品をユーザに選択させる配線部品選択手段と、配線部品選択手段で選択された配線部品を、各配線部品に係わる部品提供業者の受注側サーバ装置に発注する発注手段と、を有することを特徴とし、人為的ミスの発生も抑え、多大な労力を消費することなく、配線部品の納期や価格などの条件に基づいて配線敷設工事に係わる配線部品を発注することを可能としている。
【００１８】
本発明による配線部品発注システムは、建物に敷設する通信配線の部品注文をネットワーク接続されたクライアント装置から受け付けるための、部品提供業者の受注側サーバ装置と、受注側サーバ装置にアクセス可能に接続され、部品提供業者が提供する配線部品に関する情報を格納した部品情報データベースと、を有する配線部品受注システムであって、受注側サーバ装置は、建物における通信配線の敷設条件を、ネットワーク接続されたクライアント装置から入力させる敷設条件入力手段と、敷設条件に基づいて、使用可能な配線部品を部品情報データベースを参照して選出し、クライアント装置に提示する配線部品選出手段と、配線部品選出手段で選出された配線部品のうち、注文する配線部品をクライアント装置から選択させる配線部品選択手段と、配線部品選択手段で選択された配線部品を受注する受注手段と、受注手段で受注した配線部品に課金する課金手段と、を有することを特徴とし、発注者に、人為的ミスを抑え多大な労力を消費させることなく、配線部品の納期や価格などの条件に基づいて配線敷設工事に係わる配線部品を発注させることを可能としている。
【００１９】
本発明による配線部品受注システムは、上述の配線部品受注システムにおいて、部品提供業者以外の部品提供業者である別業者に関する情報を格納し、受注側サーバ装置にアクセス可能に接続された業者情報データベースを有し、受注側サーバ装置は、別業者が受注に利用する別業者用サーバ装置にネットワークを介して接続され、別業者用サーバ装置は、別業者が提供する配線部品に関する情報を格納した部品情報データベースにアクセス可能に接続され、受注側サーバ装置は、受注手段で受注した配線部品のうち、別業者に係わる配線部品を、対応する別業者の別業者用サーバ装置に発注する発注手段を有することを特徴とし、別業者の配線部品にも対応させている。
【００２０】
【発明の実施の形態】
図１は、本発明の一実施形態に係る配線部品発注システムの一構成例を示す図である。図１中、１は発注者、２はネットワーク、３は部品提供業者、１０はクライアント装置、１１は敷設条件入力手段、１２は配線部品選出手段、１３は配線部品選択手段、１４は発注手段、１５は配線図面、３０は受注側サーバ装置、３１は部品情報データベース（ＤＢ）、３２は受注手段、３３は課金手段である。
【００２１】
本発明の一実施形態に係る配線部品発注システム（以下、本システムという）は、発注者１（本システムのシステムユーザ）が、建物に敷設する通信配線の部品を部品提供業者（受注者）３に発注するためのシステムである。ここで建物とは、隣接して併設された一連の建物であってもよい。また、本システムが複数の発注者１に対応可能なものであることは言及するまでもない。本システムは、様々な形態のシステム構成が採用可能であるが、１又は複数の部品提供業者３の受注側サーバ装置３０にネットワーク２を介して接続されているものとする。ここで、受注側サーバ装置３０は、対応する部品提供業者３が提供する配線部品に関する情報を格納した部品情報ＤＢ（商品情報ＤＢとも言える）３１にアクセス可能に接続され、部品情報ＤＢ３１を管理している。
【００２２】
なお、図１においては、本システムを、受注サービスを受注側サーバ装置３０から享受するクライアント装置１０で構成するものとして説明するが、本システムのクライアント装置としては、複数のクライアント装置及びＬＡＮ等でそれらに接続された発注側サーバ装置で構成するなど、様々な形態が採用可能である。
【００２３】
本システムは、敷設条件入力手段１１，配線部品選出手段１２，配線部品選択手段１３，発注手段１４を少なくとも備えるものとし、図１ではそれらの手段としてコンピュータを機能させるための発注プログラムをクライアント装置１０に組み込んだものとして本システムを説明する。
【００２４】
図２は、図１の配線部品発注システムにおける発注処理を説明するためのフロー図で、本発明の一実施形態に係る配線部品発注方法を説明するためのフロー図でもある。図３は、図１の配線部品発注システムにおける敷設条件入力画面及び配線部品提示画面の一例を示す図である。また、図４は、図１の配線部品発注システムがアクセスする部品情報ＤＢにおけるデータ格納形式の一例を示す図である。
【００２５】
図３中、１１Ａは敷設条件、１１Ｂは敷設条件入力欄、１１Ｃ，１２Ａはプルダウンメニュー移行用ボタン、１３Ａは品名（配線部品名）選択欄、１３Ｂは購入数量入力欄、１３Ｃは印刷ボタン、１３Ｄは配線図作成ボタン、１４Ａは発注ボタン、１６Ａは設計インプットボタンである。なお、図３では、より好適な例として、敷設条件入力画面と配線部品提示画面とを同時にユーザに提示した画面を示している。
【００２６】
本実施形態に係る配線部品発注処理は、まず、敷設条件入力手段１１により、建物における通信配線の敷設条件（納期，価格等）を入力する（ステップＳ１）。図３では、敷設条件１１Ａとして、ビルの階数，配線形態，各階のポート数，最大伝送損失，納期（配線部品の納入期限），予算（配線部品の総価格），拡張性，優先項目を挙げ、敷設条件入力欄１１Ｂに、それぞれ、１６階，バススター型，２個（１−８階）；３個（９−１６階），３．４ｄＢ，２００３．６．１０，５０万円，拡張性要，価格優先が入力された例を示している。
【００２７】
配線形態などは、例えば、シングルスター型，ダブルスター型，バススター型などと所定の形態の中から選択する方がユーザ入力は容易となるので、プルダウンメニューへ移行するためのボタン１１Ｃを用意しておくとよい。また、価格，納期，拡張性等の優先項目を設定できるようにすることで、部品提供業者の情報と合わせた最適解を得ることができる。なお、ここでの敷設条件１１Ａとしては、建物の予算，工期など、建物の施工条件として入力してもよく、その場合には建物の施工に対する通信配線の予算，工期の割合を予め入力しておくか、併せて入力しておく必要がある。
【００２８】
次に、配線部品選出手段１２により、ネットワーク２を介して部品提供業者３の部品情報ＤＢ３１にアクセスし、入力された敷設条件に基づいて、部品情報ＤＢ３１を参照して使用可能な配線部品を選出し、ユーザに表示装置などで提示する（ステップＳ２）。ここで、図４の部品情報ＤＢ３１では、品名コードに対し、品名，単位，単価（その単位量当りの価格），伝送損失（／単位），導入本数（該当部品により追加され得る分岐路の数；主として光ファイバの場合），納期，その納期までに出荷可能な数量が、それぞれ関連付けられて格納された例を示している。配線部品としては、光ファイバの接続部を保護する収縮スリープやコネクタ等も含むことで更にシステムが有用となる。この例で示すように、部品情報ＤＢ３１には、各配線部品に対する価格と納期（納入可能日）の、リアルタイムで更新された情報が格納されており、敷設条件は、納期又は納期及び予算に係わる条件を含むようにすることが好ましい。
【００２９】
図３及び図４で示すステップＳ２の処理例においては、「１００心テープスロットケーブルＡ」等の品名選択欄１３Ａの右横にあるプルダウンメニューボタン１２Ａをクリックすると、部品情報ＤＢ３１に格納された各配線部品の品名が提示される（図示せず）。ここで、例えば予め品名選択欄１３Ａの第１行がケーブルに関する選択行に設定しておくと、品名コード「Ｓ００００１」〜「Ｓ００００４」，「Ｓ００５００」の配線部品の品名が提示される（図示せず）。また、配線部品と共にその発注先を提示するようにしてもよい。
【００３０】
敷設条件として、通信配線の拡張性の要否や拡張性の度合に関する条件を含むようにした場合には、配線部品選出手段１２は、その拡張性の条件に従って、拡張性が要求されている場合には余分に配線経路を確保できるように配線部品の選出を行うようにするとよい。同様に、敷設条件として、他の敷設条件に対する優先順位の情報を含むようにした場合にも、その優先順位に基づいて選出・提示を行えばよい。
【００３１】
次に、配線部品選択手段１３により、配線部品選出手段１２で選出された配線部品のうち、注文する配線部品をユーザに選択させる（ステップＳ３）。上述の例では、品名コード「Ｓ００００１」〜「Ｓ００００４」，「Ｓ００５００」の提示された配線商品のうち、選びたい品名（図３では「Ｓ００００１」）をユーザにクリックさせるなどして選択させる。選択された配線部品に対し、その品名コード，品名，単位，単価，伝送損失，導入本数，納期，出荷可能数量が図３のごとく表示される。ユーザは同時に表示された購入数量入力欄１３Ｂに所望の数量を入力するようにする（本実施形態ではこの数量も敷設条件に該当する）。これらの情報を印刷したい場合には印刷ボタン１３Ｃをクリックすればよい。
【００３２】
なお、光ファイバケーブル（光ケーブル），メタルケーブルのいずれの構成にするのかを、敷設条件として最初に入力するようにして選択の幅を減じさせてもよいし、配線部品選択手段１３でいずれかのケーブルを選択するようにしてもよい。敷設条件として光ケーブル又はメタルケーブルのいずれの配線ケーブルを用いるかを示す情報を含んだ場合、図２で例示したように建物の必要ポート数（階数，各階のポート数），配線形態等の情報を同時に含むようにすることで、後述する配線図作成に有用となる。
【００３３】
最後に、発注手段１４により、発注ボタン１４Ａをクリックするなどして、配線部品選択手段１３で選択された配線部品を、各配線部品に係わる部品提供業者３の受注側サーバ装置３０に発注する（ステップＳ４）。受注側サーバ装置３０は、受注手段３２によりこの発注に係わる配線部品を受注処理し、課金手段３３により課金処理することとなる。
【００３４】
ここで、クライアント装置１０や他の実施形態で説明するクライアント装置、さらには受注側サーバ装置３０や他の実施形態で後述する他のサーバ装置など、ＰＣ（パーソナルコンピュータ）等の汎用コンピュータやサーバコンピュータにおける各種情報の処理について、図５に示す一般的な情報処理装置の構成例を参照して説明する。
【００３５】
図５は、一般的な情報処理装置の構成例を示すブロック図である。図５中、２１はＣＰＵ、２２はＲＡＭ、２３はＲＯＭ、２４は入力装置、２５は表示装置、２６は通信装置、２７は出力装置、２８はバスである。
【００３６】
本システムで取り扱われる情報は、その処理時に一時的にＲＡＭ２２に蓄積され、その後、各種ＲＯＭ２３に格納され、必要に応じて、ＣＰＵ２１によって読み出し、修正・書き込みが行われる。また、コンピュータを本システム又は各装置として機能させるためのプログラムは、それぞれのＲＯＭ２３に蓄積され、ＣＰＵ２１が読み出すことによって実行される。また、処理の途中経過や途中結果は、ＣＲＴ，ＬＣＤ等の表示装置２５を通してユーザに提示され、必要な場合には、キーボード，マウス（ポインティングデバイス）等の入力装置２４からユーザが処理に必要なパラメータを入力指定すればよい。入力装置２４では配線図面１５を閲覧しながら各種データを入力するか、或いは後述の形態ではＣＡＤデータを入力する。このプログラムは、ユーザが使用する際に容易となるように、図３（及び後述の図８，図９）で示す画面等、表示装置２５用のグラフィカルユーザインターフェース（ＧＵＩ）を備えるようにするとよい。通信装置２６は上述のネットワーク２等に接続して通信を行うための機器である。なお、ＣＰＵ２１，ＲＡＭ２２，ＲＯＭ２３，入力装置２４，表示装置２５，通信装置２６，プリンタ等の出力装置２７は、バス２８などで接続されていればよい。
【００３７】
また、ネットワーク２等の本明細書中に記載のネットワークとしては、通信回線（有線，無線に限らず）を使用したインターネット，イントラネット，エクストラネット等のネットワークシステムで構成される。このネットワークシステムはＬＡＮ（Ｌｏｃａｌ  Ａｒｅａ  Ｎｅｔｗｏｒｋ）環境に限らず各サーバ装置の設置場所によってはＷＡＮ（Ｗｉｄｅ  Ａｒｅａ  Ｎｅｔｗｏｒｋ）環境やＭＡＮ（Ｍｅｔｒｏｐｏｌｉｔａｎ  Ａｒｅａ  Ｎｅｔｗｏｒｋ）環境で構築される場合もある。また、このネットワークは、専用回線の使用、伝送データの暗号化、各クライアント装置等を使用するユーザの認証など様々な方法によるセキュリティの強化が必要となる。セキュリティの強化は、インターネット接続を利用する場合には特に注意が必要となる。
【００３８】
また、クライアント装置１０，受注側サーバ装置３０，部品情報ＤＢ３１等、本明細書中に記載するクライアント装置，各種サーバ装置，各種ＤＢは、そのユーザの企業内に設置していることを前提として説明しているが、システムの一部を提供するアプリケーションサービス提供業者（ＡＳＰ事業者）の会社などに設置していてもよい。また、各サーバ装置に各ＤＢが物理的に含まれている形態でも、各サーバ装置に各ＤＢがネットワークを介して接続され、物理的に離散している形態を採用してもよい。またＤＢは、その構成上別々のものでも一体型のものでもよく、要はデータベースとしての機能がはたせる形態であればよい。各ＤＢを管理するサーバ装置は、ＤＢの維持・運用を行う専用のソフトウェア（ＤＢ管理システム）を備えるようにすることが好ましい。これにより、ＤＢ内のデータを本発明に係る各機能を実現するプログラム（アプリケーションソフト）から物理的，論理的に独立させ、各種アプリケーションのバージョンアップやシステム構築が容易になる上に、データの整合性（一貫性）を保て、データのセキュリティの確保が行い易くなる。さらに、各サーバ装置は、処理に応じた階層構造をもつサーバとしてもよい。
【００３９】
本実施形態によれば、人為的ミスの発生も抑え、多大な労力を消費することなく、配線部品の納期や価格などの敷設条件に基づいて配線敷設工事に係わる配線部品を発注することが可能となる。例えば、価格，納期，拡張性等の条件に合うＬＡＮ配線設計、配線部品選択を短時間で行うことができ、発注を同時に行うことができる。また、部品提供業者の最短納期（標準納期ではない）情報をリアルタイムに使用して設計、発注を実施できるので、短時間で最適な選択を行うことも可能となる。
【００４０】
図６は、本発明の他の実施形態に係る配線部品発注システムの一構成例を示す図である。また、図７は、図６の配線部品発注システムにおける発注処理を説明するためのフロー図で、本発明の他の実施形態に係る配線部品発注方法を説明するためのフロー図でもある。図６中、１６は設計情報入力手段、１７はＣＡＤデータであり、その他、図１と同様の部分には同じ符号を付して説明を省略する。
【００４１】
本発明の他の実施形態に係る配線部品発注システム（以下、本システムと呼ぶ）は、図１乃至図５で説明した各実施形態のシステムに加え、設計情報入力手段１６を備えたシステムであり、上述したシステムと同様の箇所の説明はその効果の説明も含め省略する。
【００４２】
本実施形態に係る配線部品発注処理は、まず、設計情報入力手段１６により、建物に敷設する通信配線の設計情報（経路情報等）を入力する（ステップＳ１１）。例えば、図３における設計インプットボタン１６Ａをクリックすることで、設計情報の入力が可能となるようにすればよい。但し、入力画面の図示は省略している。次に、敷設条件入力手段１１では建物における通信配線の敷設条件を入力する（ステップＳ１２）が、ステップＳ１１，Ｓ１２は前後してもよい。そして、配線部品選出手段１２では、設計情報及び敷設条件に基づいて、使用可能な部品情報ＤＢ３１を参照して配線部品を選出し、ユーザに提示する（ステップＳ１３）。配線部品選択手段１３では、選出された配線部品のうち注文する配線部品をユーザに選択させる（ステップＳ１４）。発注手段１４では、選択された配線部品を、各配線部品に係わる部品提供業者３の受注側サーバ装置３０に発注する（ステップＳ１５）。
【００４３】
設計情報の入力に関し、設計情報入力手段１６に、設計情報をＣＡＤデータ１７として入力する手段を備えるようにしてもよい。この場合、ＣＡＤデータ１７は、通信配線を表す情報と建物の構造を表す情報とを識別できるように作成しておく必要がある。
【００４４】
また、設計情報入力手段１６に、設計情報を建物の鉛直方向の情報，水平方向の情報として個々に入力する手段を備えるようにしてもよい。鉛直方向の情報とは、階数，各階に必要なポート数，フロア高さ等の情報を指し、例えば後述する図８の配線図に必要な情報を指す。水平方向の情報とは、各階の平面図に相当する情報であり、どの位置にポートの位置やコンセントまでの距離等の情報を指し、例えば後述する図９の配線図に必要な情報を指す。
【００４５】
また、配線部品選出手段１２は、選出した配線部品を、設計情報に関連付けて提示する手段を有するようにしてもよい。ここで設計情報の提示例としては、図３の画面における品名等と併記して、選択する配線部品の敷設場所を文字情報で提示する、或いは後述する配線図とリンクさせて提示するなどが挙げられる。
【００４６】
図８及び図９は、本発明の他の実施形態に係る配線部品発注システムにおいて表示する配線図の一例を示す図で、図８は鉛直方向の配線図、図９は水平方向の配線図である。図８中、１２Ｂは選択表表示ボタン、１３Ｅは印刷ボタン、１３Ｆは鉛直配線図、１３Ｇは主配線盤（ＭＤＦ）、１３Ｈは縦系ケーブル、１３Ｊ，１３Ｋはケーブル分岐ボックス、１３Ｌはポート、１３Ｍ，１３Ｐは光コンセント、１３Ｎはフロア系ケーブル、１３Ｑは水平配線図、１６Ｂは設計インプットボタンである。
【００４７】
本発明の他の実施形態として、図１乃至図７で説明した各実施形態において、配線図提示手段を備えるようにしてもよい。配線図提示手段では、設計情報から配線概略図を作成し、作成した配線概略図を提示する。配線部品選出手段１２に配線図提示手段を備えた場合には、図３の画面で配線部品を選出して提示する際に、図８，図９で例示する配線図を同時に提示するか、その配線図の対応敷設位置へのリンクを張るなどするとよい。また、例えばＣＡＤデータとして設計情報を入力した場合にも、通信配線に特化した配線概略図を提示することで配線部品の選択を行い易くなる。
【００４８】
光通信配線を用いた配線概略図の例を、鉛直方向の配線概略図（図８）及び水平方向の配線概略図（図９）を挙げて説明する。鉛直配線図１３Ｆでは、階毎に、階数，ポート数，縦系ケーブル心数（サイズ／長さ），分岐心数，残心数，各ポートの心数，横系ケーブルの長さ，予備心数，伝送損失が最大となるポートの情報（接続種類，接続数，接続損失），分岐ボックス個数，ＭＣ個数の情報が閲覧できるようになっている。それと同時に、ＭＤＦ１３Ｇに接続された２本の縦系ケーブル１３Ｈと、各縦系ケーブル１３Ｈに各階用に設けられたケーブル分岐ボックス１３Ｊ（１３Ｋ）を提示している。例えば、ケーブル分岐ボックス１３Ｋをクリックすると、その階の水平配線図１３Ｑ（図９）を表示するようにしておくとより便利である。ここで例示する水平配線図１３Ｑには、ケーブル分岐ボックス１３Ｋにフロア系ケーブル１３Ｎを介して３つのポート１３Ｌに接続され、さらに各ポート１３Ｌに複数のフロア系ケーブル１３Ｎが接続され、その先端に光コンセント１３Ｐが接続されているのが見て取れる。
【００４９】
さらに、設計情報を建物の鉛直方向の情報，水平方向の情報として個々に入力する手段として上述したように、これらの情報を配線概略図上で入力する手段を設けることで設計情報の入力がさらに容易となる。
【００５０】
また、図８の配線概略図には図３の設計インプットボタン１６Ａと同様の設計インプットボタン１６Ｂを設けている。さらにこの配線図を印刷するための印刷ボタン１３Ｅ、図３の選択表へ移行するための選択表表示ボタン１２Ｂも併せて設けている。これらのボタンは、図９の水平方向の配線概略図の方にも設けてもよい。
【００５１】
本実施形態によれば、例えば、配線図の作成及び配線図を閲覧しながらの配線部品の選択も可能となる。さらに、敷設条件を入力すると自動的に配線設計に必要な物品と配線図を空欄の状態で表示し、その空欄を埋めていくことで設計条件の入力も可能となる。
【００５２】
図１０は、本発明の他の実施形態に係る配線部品発注システムの一構成例を示す図である。また、図１１は、図１０の配線部品発注システムにおける発注処理を説明するためのフロー図で、本発明の他の実施形態に係る配線部品発注方法を説明するためのフロー図でもある。図１０中、１３ａは選択部品確認手段であり、その他、図１及び図６と同様な部分には同じ符号を付して説明を省略する。
【００５３】
本発明の他の実施形態に係る配線部品発注システム（以下、本システムという）は、図１乃至図９で説明した各実施形態のシステムにおいて、配線部品選択手段１３に、選択部品確認手段１３ａを備えたものであり、上述したシステムと同様の箇所の説明はその効果の説明も含め省略する。
【００５４】
選択部品確認手段１３ａでは、ユーザ選択された配線部品から配線概略図を逐次或いは適時作成し、作成した配線概略図を提示する。本システムに係る選択部品確認手段１３ａは、上述の配線図提示手段を配線部品選択手段１３に設けたものとも言え、配線部品を選択した際に、図８，図９で例示する配線図を選出配線部品に基づいて作成し、同時に提示するか、その配線図の対応敷設位置へのリンクを張るなどするとよい。
【００５５】
本実施形態に係る配線部品発注処理は、まず、敷設条件入力手段１１により、建物における通信配線の敷設条件を入力する（ステップＳ２１）。そして、配線部品選出手段１２では、敷設条件に基づいて、使用可能な配線部品を部品情報ＤＢ３１を参照して選出し、ユーザに提示する（ステップＳ２２）。配線部品選択手段１３では、選出された配線部品のうち注文する配線部品をユーザに選択させる（ステップＳ２３）。そして、選択部品確認手段１３ａでは、ユーザ選択された配線部品から配線概略図を作成し、作成した配線概略図を提示する（ステップＳ２４）。ユーザは配線概略図を閲覧して訂正箇所等があった場合にはステップＳ２３に戻り配線部品の再選択を行う。発注手段１４では、最終的に選択された配線部品を、各配線部品に係わる部品提供業者３の受注側サーバ装置３０に発注する（ステップＳ２５）。
【００５６】
本実施形態によれば、表示された配線概略図（図８，図９）の配線部品をクリックすると、その配線部品を選択又は再選択（修正）可能な画面（図３）が開くようにすることも可能である。また、配線概略図の配線部品をクリックすることで修正が可能なので、安易な間違いを起こしにくい。
【００５７】
図１２は、本発明の他の実施形態に係る配線部品発注システムの一構成例を示す図である。また、図１３は、図１２の配線部品発注システムにおける発注処理を説明するためのフロー図で、本発明の他の実施形態に係る配線部品発注方法を説明するためのフロー図でもある。図１２中、１３ｂは伝送損失積算手段、１３ｃは警告手段、１３ｄは代替案提示手段であり、その他、図１及び図６や図１０と同様な部分には同じ符号を付して説明を省略する。
【００５８】
本発明の他の実施形態に係る配線部品発注システム（以下、本システムという）は、図１乃至図１１で説明した各実施形態のシステムにおいて、配線部品選択手段１３に、伝送損失積算手段１３ｂ及び警告手段１３ｃを備えたものであり、上述したシステムと同様の箇所の説明はその効果の説明も含め省略する。
【００５９】
図１２及び図１３では、さらに好適な形態である、配線部品選択手段１３に代替案提示手段１３ｄを備えた形態を説明する。但し、図３のように、取り扱う配線部品には光ＬＡＮ部品等の光通信部品を含んでいる必要があり、さらに部品情報ＤＢ３１における部品情報として、光通信部品にはその伝送損失に関する情報を含むようにしておく必要がある。ここで、発注する配線部品に光通史部品が含まれる必要はなく、本実施形態に係る伝送損失の積算の必要がないだけである。
【００６０】
本実施形態に係る配線部品発注処理は、まず、敷設条件入力手段１１により、建物における通信配線の敷設条件を入力する（ステップＳ３１）。そして、配線部品選出手段１２では、敷設条件に基づいて、使用可能な配線部品を部品情報ＤＢ３１を参照して選出し、ユーザに提示する（ステップＳ３２）。配線部品選択手段１３では、選出された配線部品のうち注文する配線部品をユーザに選択させる（ステップＳ３３）。
【００６１】
伝送損失積算手段１３ｂでは、光通信部品による線路の伝送損失を積算する（ステップＳ３４）。ここで実際に必要な伝送損失値は最大値であり、最大伝送損失を積算すると言ってもよい。警告手段１３ｃでは、伝送損失積算手段１３ｂの積算結果に基づいて、伝送損失が所定値以上であった場合に、ユーザにその旨を提示する（ステップＳ３５）。警告は、例えば図８の対応箇所をハイライト表示にするなど、様々な方法で可能である。なお、敷設条件入力手段１１において、敷設条件の一部としてその所定値をユーザに入力させるようにしておいてもよい。
【００６２】
次に、代替案提示手段１３ｄでは、伝送損失が所定値以上であった場合に、代替案として、光ケーブルの種類及び／又は光ケーブル間の接続形態を変更した案を、ユーザに提示する（ステップＳ３６）。ここで、融着，コネクタ，メカニカルスプライス等による接続形態が存在するので、例えば一部のコネクタを融着に変更して伝送損失を少なくした案などを提示するとよい。ユーザが、提示された案を気に入らずさらに変更した場合には再度ステップＳ２４〜Ｓ２６の処理を行うようにするとよい。発注手段１４では、最終的に選択された配線部品を、各配線部品に係わる部品提供業者３の受注側サーバ装置３０に発注する（ステップＳ３７）。
【００６３】
このように、光通信配線の場合、部品情報ＤＢ３１などに使用するケーブルの伝送損失と接続種類による接続損失を予めインプットしておき、ケーブルと接続の損失の合計を自動的に計算し、必要な値以下になっているかをチェックする機能があると有用である。
【００６４】
図１４は、本発明の一実施形態に係る配線部品受注システムの一構成例を示す図である。図１４中、４は発注者、５はネットワーク、６は部品提供業者（Ａ）、１５は配線図面、１７はＣＡＤデータ、４０はクライアント装置、６２は敷設条件入力手段、６３は配線部品選出手段、６４は配線部品選択手段、６５は受注手段、６６は課金手段、６０は受注側サーバ装置、６１は部品情報ＤＢである。
【００６５】
本発明の一実施形態に係る配線部品受注システム（以下、本システムという）は、発注者４から発注される、建物に敷設する通信配線の部品を、部品提供業者（受注者；本システムのシステムユーザ）６が受注するためのシステムである。ここで建物とは、隣接して併設された一連の建物であってもよい。本システムは、様々な形態のシステム構成が採用可能であるが、１又は複数の発注者４のクライアント装置４０にネットワーク５を介して接続されているものとする。ここで、受注側サーバ装置６０は、部品提供業者６が提供する配線部品に関する情報を格納した部品情報ＤＢ（商品情報ＤＢとも言える）６１にアクセス可能に接続され、部品情報ＤＢ６１を管理している。なお、図１４においては、本システムを、受注サービスを受注側サーバ装置６０から享受するクライアント装置４０で構成するものとして説明するが、本システムに係るクライアント装置としては、複数のクライアント装置及びＬＡＮ等でそれらに接続された発注側サーバ装置で構成するなど、様々な形態が採用可能である。
【００６６】
本システムにおける部品提供業者６の受注側サーバ装置６０は、建物に敷設する通信配線の部品注文をネットワーク５接続されたクライアント装置４０から受け付けるためのものであり、敷設条件入力手段６２，配線部品選出手段６３，配線部品選択手段６４，受注手段６５，課金手段６６を少なくとも備えるものとする。図１４では、それらの手段としてコンピュータを機能させるための受注プログラムを、受注側サーバ装置６０又は受注側サーバ装置６０及び部品情報ＤＢ６１に組み込んだものとして本システムを説明する。
【００６７】
図１５は、図１４の配線部品受注システムにおける受注処理を説明するためのフロー図で、本発明の一実施形態に係る配線部品受注方法を説明するためのフロー図でもある。
本実施形態に係る配線部品受注処理は、まず、敷設条件入力手段６２により、建物における通信配線の敷設条件を、ネットワーク接続されたクライアント装置４０から入力させる（ステップＳ４１）。そして、配線部品選出手段６３では、敷設条件に基づいて、使用可能な配線部品を部品情報ＤＢ６１を参照して選出し、クライアント装置４０に提示する（ステップＳ４２）。配線部品選択手段６４では、選出された配線部品のうち注文する配線部品を、クライアント装置４０から選択させる（ステップＳ４３）。受注手段６５では、選択された配線部品を受注する（ステップＳ４４）。課金手段６６では、受注時或いは受注後、受注手段で受注した配線部品に電子決済等により課金する（ステップＳ４５）。
【００６８】
本実施形態によれば、発注者に、人為的ミスを抑え多大な労力を消費させることなく、配線部品の納期や価格などの条件に基づいて配線敷設工事に係わる配線部品を発注させることが可能となる。
【００６９】
その他、本発明の他の実施形態として、図１乃至図１３で説明した各実施形態のシステム及び方法を、図１４及び図１５で説明した本システムに適用してもよい。この場合、ユーザに対する提示等の処理を、クライアント装置４０に対して行うようにし、ユーザに入力装置で入力させる処理を、クライアント装置４０から入力させるようにすればよい。
【００７０】
図１６は、本発明の他の実施形態に係る配線部品受注システムの一構成例を示す図である。図１６中、７はネットワーク、８は他の部品提供業者（以下、別業者という）、６７は発注手段、６８は業者情報ＤＢ、８０は別業者用の受注側サーバ装置（以下、別業者用サーバ装置という）、８１は部品情報ＤＢ、８２は受注手段であり、その他、図１４と同様な部分には同じ符号を付して説明をその効果の説明も含めて省略する。
【００７１】
本発明の他の実施形態に係る配線部品受注システム（以下、本システムという）は、発注者４から発注される、建物に敷設する通信配線の部品を、部品提供業者（受注者；本システムのシステムユーザ）６が受注するためのシステムであり、その部品提供業者Ａ（６）は１又は複数の別業者（例えば別業者Ｂ（８））の販売する配線部品を取り扱うことが可能なシステムである。ここで建物とは、隣接して併設された一連の建物であってもよい。本システムは、様々な形態のシステム構成が採用可能であるが、１又は複数の発注者４のクライアント装置４０にネットワーク５を介して接続されているものとする。本システムは、図１４及び図１５で説明したシステムを複数の部品提供業者対応としたものであり、上述したシステムと同様の箇所の説明はその効果の説明も含め省略する。
【００７２】
なお、図１６においては、本システムの主たる部分を、クライアント装置４０が発注サービスを受注側サーバ装置６０から享受するよう構成するものとして説明するが、本システムを利用して発注する発注者側のクライアント装置としては、図示するようなスタンドアローンで構成するだけでなく、複数のクライアント装置及びＬＡＮ等でそれらに接続された発注側サーバ装置として構成するなど、様々な形態が採用可能である。
【００７３】
以下、別業者として、別業者Ｂ（８）の配線部品のみを取り扱う例を説明するが、複数の別業者に対応可能なシステムも同様に構成可能である。別業者Ｂ（８）の配線部品の取り扱いを可能とするために、受注側サーバ装置６０は、別業者Ｂ（８）が受注に利用する別業者用サーバ装置８０にネットワーク７を介して接続されているものとし、さらに、別業者用サーバ装置８０は、別業者Ｂ（８）が提供する配線部品に関する情報を格納した部品情報ＤＢ８１にアクセス可能に接続されているものとする。
【００７４】
ここで、受注側サーバ装置６０は、部品提供業者６が提供する配線部品に関する情報を格納した部品情報ＤＢ（商品情報ＤＢとも言える）６１にアクセス可能に接続され、部品情報ＤＢ６１を管理している。さらに本システムは、受注側サーバ装置６０にアクセス可能に接続された業者情報ＤＢ６８を有するものとする。業者情報ＤＢ６８は、部品提供業者Ａ（６）以外の別業者Ｂ（８）に関する情報、例えば別業者用サーバ装置８０のアドレス情報等の情報を格納するものとする。なお、複数の別業者に対応させるにはその別業者に関する情報、例えばそれらの別業者が利用する別業者用サーバ装置のアドレス情報等の情報も、業者情報ＤＢ６８に格納しておく必要がある。
【００７５】
さらに、受注側サーバ装置６０は、受注手段６５で受注した配線部品のうち、別業者Ｂ（８）に係わる配線部品を、対応する別業者８の別業者用サーバ装置８０に発注する発注手段６７を有する。図１６では、それらの手段６２〜６７としてコンピュータを機能させるための受注プログラムを、受注側サーバ装置６０又は受注側サーバ装置６０及び部品情報ＤＢ６１及び業者情報ＤＢ６８に組み込んだものとして本システムを説明している。
【００７６】
図１７は、図１６の配線部品受注システムにおける受注処理を説明するためのフロー図で、本発明の他の実施形態に係る配線部品受注方法を説明するためのフロー図でもある。
本実施形態に係る配線部品受注処理は、まず、敷設条件入力手段６２により、建物における通信配線の敷設条件を、ネットワーク接続されたクライアント装置４０から入力させる（ステップＳ５１）。そして、配線部品選出手段６３では、敷設条件に基づいて、使用可能な配線部品を部品情報ＤＢ６１を参照して選出し、クライアント装置４０に提示する（ステップＳ５２）。ステップＳ５２では、部品情報ＤＢ６１だけでなく、業者情報ＤＢ６８を参照して別業者用サーバ装置８０にアクセスして結果として別業者Ｂ（８）の部品情報ＤＢ８１をも参照するものとする。配線部品選択手段６４では、選出された配線部品のうち注文する配線部品を、クライアント装置４０から選択させる（ステップＳ５３）。受注手段６５では、選択された配線部品を受注する（ステップＳ５４）。課金手段６６では、受注時或いは受注後、受注手段で受注した配線部品に電子決済等により課金する（ステップＳ５５）。発注手段６７では、受注手段６５で受注した配線部品のうち、別業者Ｂ（８）に係わる配線部品を、対応する別業者８の別業者用サーバ装置８０に発注する（ステップＳ５６）。別業者用サーバ装置８０では、発注のあった配線部品を受注手段８２で受注し、課金手段８３で課金する。
【００７７】
その他、本発明の他の実施形態として、図１乃至図１３で説明した各実施形態のシステム及び方法を、図１６及び図１７で説明した本システムに適用してもよい。この場合、ユーザに対する提示等の処理を、クライアント装置４０に対して行うようにし、ユーザに入力装置で入力させる処理を、クライアント装置４０から入力させるようにすればよい。
【００７８】
本システムによれば、複数の部品提供業者（サプライヤ）の部品情報ＤＢに格納してある配線部品の中で、最も条件に合う配線部品（及びそのサプライヤ）を選択して発注することも可能となる。
【００７９】
以上、図１乃至図１７を参照しながら、本発明のシステム及び方法を中心に各実施形態を説明してきたが、本発明は、上述した各実施形態におけるクライアント装置，サーバ装置に係る説明で説明したように、コンピュータをそれらシステムとして機能させるためのプログラム、或いはコンピュータにそれらシステムの処理手順やそれら方法を実行させるためのプログラムとしても、或いは、そのプログラムを記録したコンピュータ読み取り可能な記録媒体としての形態も可能である。
【００８０】
本発明による配線部品発注／受注の機能を実現するためのプログラムやデータを記憶した記録媒体の実施形態を説明する。記録媒体としては、具体的には、ＣＤ−ＲＯＭ、光磁気ディスク、ＤＶＤ−ＲＯＭ、ＦＤ、フラッシュメモリ、及びその他各種ＲＯＭやＲＡＭ等が想定でき、これら記録媒体に上述した本発明の各実施形態のシステムの機能をコンピュータに実行させ、配線部品発注／受注の機能を実現するためのプログラムを記録して流通させることにより、当機能の実現を容易にする。そして、図５で例示したようなコンピュータ等の情報処理装置に、上述のごとくの記録媒体を装着して情報処理装置によりプログラムを読み出すか、若しくは情報処理装置が備えている記録媒体に当プログラムを記憶させておき、必要に応じて読み出すことにより、本発明に係わる配線部品発注／受注の機能を実行することができる。
【００８１】
【発明の効果】
本発明によれば、人為的ミスの発生も抑え、多大な労力を消費することなく、配線部品の納期や価格などの条件に基づいて配線敷設工事に係わる配線部品を発注することが可能となる。
【００８２】
また、本発明によれば、発注者に、人為的ミスを抑え多大な労力を消費させることなく、配線部品の納期や価格などの条件に基づいて配線敷設工事に係わる配線部品を発注させることが可能となる。
【図面の簡単な説明】
【図１】本発明の一実施形態に係る配線部品発注システムの一構成例を示す図である。
【図２】図１の配線部品発注システムにおける発注処理を説明するためのフロー図で、本発明の一実施形態に係る配線部品発注方法を説明するためのフロー図でもある。
【図３】図１の配線部品発注システムにおける敷設条件入力画面及び配線部品提示画面の一例を示す図である。
【図４】図１の配線部品発注システムがアクセスする部品情報ＤＢにおけるデータ格納形式の一例を示す図である。
【図５】一般的な情報処理装置の構成例を示すブロック図である。
【図６】本発明の他の実施形態に係る配線部品発注システムの一構成例を示す図である。
【図７】図６の配線部品発注システムにおける発注処理を説明するためのフロー図で、本発明の他の実施形態に係る配線部品発注方法を説明するためのフロー図でもある。
【図８】本発明の他の実施形態に係る配線部品発注システムにおいて表示する鉛直方向の配線図の一例を示す図である。
【図９】本発明の他の実施形態に係る配線部品発注システムにおいて表示する水平方向の配線図の一例を示す図である。
【図１０】本発明の他の実施形態に係る配線部品発注システムの一構成例を示す図である。
【図１１】図１０の配線部品発注システムにおける発注処理を説明するためのフロー図で、本発明の他の実施形態に係る配線部品発注方法を説明するためのフロー図でもある。
【図１２】本発明の他の実施形態に係る配線部品発注システムの一構成例を示す図である。
【図１３】図１２の配線部品発注システムにおける発注処理を説明するためのフロー図で、本発明の他の実施形態に係る配線部品発注方法を説明するためのフロー図でもある。
【図１４】本発明の一実施形態に係る配線部品受注システムの一構成例を示す図である。
【図１５】図１４の配線部品受注システムにおける受注処理を説明するためのフロー図で、本発明の一実施形態に係る配線部品受注方法を説明するためのフロー図でもある。
【図１６】本発明の他の実施形態に係る配線部品受注システムの一構成例を示す図である。
【図１７】図１６の配線部品受注システムにおける受注処理を説明するためのフロー図で、本発明の他の実施形態に係る配線部品受注方法を説明するためのフロー図でもある。
【符号の説明】
１，４…発注者、２，５，７…ネットワーク、３，６…部品提供業者、８…別業者、１０，４０…クライアント装置、１１，６２…敷設条件入力手段、１２，６３…配線部品選出手段、１３，６４…配線部品選択手段、１３ａ…選択部品確認手段、１３ｂ…伝送損失積算手段、１３ｃ…警告手段、１３ｄ…代替案提示手段、１４，６７…発注手段、１５…配線図面、１６…設計情報入力手段、１７…ＣＡＤデータ、１１Ａ…敷設条件、１１Ｂ…敷設条件入力欄、１１Ｃ，１２Ａ…プルダウンメニュー移行用ボタン、１２Ｂ…選択表表示ボタン、１３Ａ…品名選択欄、１３Ｂ…購入数量入力欄、１３Ｃ，１３Ｅ…印刷ボタン、１３Ｄ…配線図作成ボタン、１３Ｆ…鉛直配線図、１３Ｇ…ＭＤＦ、１３Ｈ…縦系ケーブル、１３Ｊ，１３Ｋ…ケーブル分岐ボックス、１３Ｌ…ポート、１３Ｍ，１３Ｐ…光コンセント、１３Ｎ…フロア系ケーブル、１３Ｑ…水平配線図、１４Ａ…発注ボタン、１６Ａ，１６Ｂ…設計インプットボタン、２１…ＣＰＵ、２２…ＲＡＭ、２３…ＲＯＭ、２４…入力装置、２５…表示装置、２６…通信装置、２７…出力装置、２８…バス、３０，６０…受注側サーバ装置、３１，６１，８１…部品情報ＤＢ、３２，６５，８２…受注手段、３３，６６，８３…課金手段、６８…業者情報ＤＢ、８０…別業者用サーバ装置。
【図１】
2004355104.tif 000003
【図２】
2004355104.tif 000004
【図３】
2004355104.tif 000005
【図４】
2004355104.tif 000006
【図５】
2004355104.tif 000007
【図６】
2004355104.tif 000008
【図７】
2004355104.tif 000009
【図８】
2004355104.tif 000010
【図９】
2004355104.tif 000011
【図１０】
2004355104.tif 000012
【図１１】
2004355104.tif 000013
【図１２】
2004355104.tif 000014
【図１３】
2004355104.tif 000015
【図１４】
2004355104.tif 000016
【図１５】
2004355104.tif 000017
【図１６】
2004355104.tif 000018
【図１７】
2004355104.tif 000019